(57)【要約】【課題】本発明は、階段の踏み板を的確に明るくするとともに、階段を上に上る人が正面側から階段を視認した際にまぶしくない足元灯ユニットを提供することを課題とする。【解決手段】本発明に係る足元灯ユニットは、階段に取付けられ、下方の踏み板を照明するための足元灯ユニット１であって、照明手段７を有するユニット本体３には、階段への取付状態における正面側への光を遮光する遮光手段２１，２３が設けられていることを特徴とする。【選択図】      図１
2004190335.tif 000002
【特許請求の範囲】
【請求項１】
階段に取付けられ、下方の踏み板を照明するための足元灯ユニットであって、照明手段を有するユニット本体には、階段への取付状態における正面側への光を遮光する遮光手段が設けられていることを特徴とする足元灯ユニット。
【請求項２】
前記遮光手段は、ユニット本体の正面側に取付けられた遮光板であることを特徴とする請求項１記載の足元灯ユニット。
【請求項３】
前記遮光手段は、ユニット本体の下面側に設けられたプリズム面であることを特徴とする請求項１または２記載の足元灯ユニット。
【請求項４】
前記照明手段は、光源と、該光源の光を散乱する散乱手段とから構成されていることを特徴とする請求項１乃至３の何れかに記載の足元灯ユニット。
【請求項５】
取付けられた足元灯ユニットによって下方の踏み板が照明される照明付き階段であって、前記足元灯ユニットは、下方の踏み板を照明する照明手段と、正面側への光を遮光する遮光手段とを有することを特徴とする照明付き階段。
【請求項６】
前記遮光手段は、足元灯ユニットの正面側に取付けられた遮光板であることを特徴とする請求項５記載の照明付き階段。
【請求項７】
前記遮光手段は、足元灯ユニットの下面側に設けられたプリズム面であることを特徴とする請求項５または６記載の照明付き階段。
【請求項８】
前記照明手段は、光源と、該光源の光を散乱する散乱板とから構成されていることを特徴とする請求項５乃至７の何れかに記載の照明付き階段。
【発明の詳細な説明】
【０００１】
【発明の属する技術分野】
本発明は、階段に取付けられる足元灯ユニットに関する。
【０００２】
【従来の技術】
従来より、階段の下部に小型の足元灯ユニットを埋設し、これにより足元周辺（踏み板）を照明することがなされている。この足元灯ユニットは、踏み板の下部に取付けられ、下段の踏み板の上面を照明するように設けられている（例えば、特許文献１）。
【０００３】
【特許文献１】
特開平１０−２６９８４１号公報
【０００４】
この公報所載の足元灯ユニットは、階段の蹴込板に形成された開口に、配線ガイド部が挿入着されて取付けられ、蹴込板の開口は垂下板によって閉塞され、収まり良く、容易に取付けられることができるものであった。
【０００５】
【発明が解決しようとする課題】
しかしながら、上記公報所載の足元灯ユニットにあっては、階段に取付けられた状態において、踏み板のみならず正面側へも光が照射され、正面側から階段を見た時にまぶしく感じるという問題を有していた。つまり、夜間等、周囲が真っ暗な状態において階段の下から上へと上る人は、その足元灯ユニットの正面側への光が直接目に入る状態となり、踏み板を視認しづらくなるという問題を有していた。
【０００６】
そこで、本発明は、階段の踏み板のみを的確に明るくするとともに、階段を上に上る人が正面側から階段を視認した際にまぶしくない足元灯ユニットを提供することを課題とする。
【０００７】
【課題を解決するための手段】
上記問題を解決するために、本願請求項１記載の発明に係る足元灯ユニットは、階段に取付けられ、下方の踏み板を照明するための足元灯ユニットであって、照明手段を有するユニット本体には、階段への取付状態における正面側への光を遮光する遮光手段が設けられていることを特徴とする。
【０００８】
また、本願請求項５記載の発明に係る照明付き階段は、取付けられた足元灯ユニットによって下方の踏み板が照明される照明付き階段であって、前記足元灯ユニットは、下方の踏み板を照明する照明手段と、正面側への光を遮光する遮光手段とを有することを特徴とする。
【０００９】
上記構成からなる本願発明にあっては、足元灯ユニットの照明手段によって踏み板のみが的確に明るくなるとともに、この照明手段からの正面側への光は遮光手段によって遮光される。このため、階段を上に上る人は、足元灯ユニットからの光が直接目に入り難く、照明手段によって照明された踏み板を容易に視認し易い。
【００１０】
また、本願発明にあっては、前記遮光手段が、ユニット本体の正面側に取付けられた遮光板であることが好ましい。これにより、簡易な構成によって、確実に正面側の光を遮光することができる。
【００１１】
また、本願発明にあっては、前記遮光手段が、ユニット本体の下面側に設けられたプリズム面であることが好ましい。これにより、ユニット本体の下面側から照射された光は、プリズム面によって背面側（蹴込板側）に屈折することとなり、正面側への光を遮光することができる。
【００１２】
また、本願発明にあっては、照明手段が、光源と、該光源の光を散乱する散乱手段とから構成されていることが好ましい。これにより、光源として例えば指向性の高いＬＥＤ等を使用した場合であっても、散乱した光により踏み板を照射することができ、踏み板の視認性が向上する。
【００１３】
【発明の実施の形態】
以下、本願発明の実施の形態について図面を参酌しつつ説明する。なお、図１は本発明に係る足元灯ユニットの実施の形態を示す図で、（イ）は概略的背面図、（ロ）は概略的側面図である。図２は、同実施形態の足元灯ユニットの取付状態を説明するための照明付き階段の概略的断面側面図である。図３は、階段の踏み板の底面図であり、図４は、階段の踏み板の一部断面を含む背面図である。
【００１４】
本実施形態の足元灯ユニット１は、光源７を有するユニット本体３と、このユニット本体３の正面側に取付けられた遮光板２３と、前記ユニット本体３の光源７に電気的に接続された電気接続手段９とから構成されており、この電気接続手段９が電源（図示省略）に接続されることにより光源７が発光するように設けられている。
【００１５】
前記ユニット本体３は、中空状のケース体５と、その内部に設けられ光源７たるＬＥＤが取付けられた基板９とから構成されている。この基板９には、前記電気的接続手段たる電気コード１１が接続されており、この基板９に複数のＬＥＤ７が取付けられている。
【００１６】
また、前記ケース体５には、背面側に階段３０に固定する際に用いられるネジ等の固定手段を挿通可能な取付用孔部１３が穿設されており、この取付用孔部１３は、ケース体５の上面から側方に突出した突出部５ａに形成されている。ケース体５には、前記電気コード１１が挿通される挿通孔部１５が穿設されており、該挿通孔部１５は、ケース体５の上面中央に形成されている。
【００１７】
また、ケース体５は、前記取付用孔部１３及び挿通孔部１５を有し上側に位置する第一部材１７と、この第一部材１７の下側に位置する第二部材１９とから構成されている。第一部材１７には、下側両側に爪部１７ａが形成されており、第二部材１９には、上方両側に前記爪部１７ａが係合可能な係合溝（図示省略）が形成されており、これにより、第一部材１７及び第二部材１９は連結されている。この第一部材１７及び第二部材１９はともに合成樹脂から成形されているが、少なくとも第二部材１９は、光を散乱する散乱性を有するように設けられている。このため、第二部材が、光源７の光を散乱する散乱手段として機能することになる。
【００１８】
また、前記ケース体５（第二部材１９）の下面は、光源７から照射された光を背面側に屈曲するようなプリズム面２１とされており、具体的には、このプリズム面２１は、全体として鋸刃状で、一つの山は正面側が下方につれて背面側に傾斜した傾斜面であり、背面側が垂下した垂直面として形成されている。
【００１９】
また、前記遮光板２３は、このケース体５の正面側に取付けられ、横幅がケース体５と略同一であり、ケース体５の下面よりも若干下側に突出するように取付けられている。また、この遮光板２３は、合成樹脂製であり、例えば黒色に形成されている。
【００２０】
次に、上記実施形態の足元灯ユニット１が取付けられた照明付き階段３０について説明する。
【００２１】
本実施形態の階段３０は、複数の踏み板３１が段差をもって配され、その踏み板３１同士の間には蹴込板３３が設けられているものであり、前記踏み板３１は、その正面側端部が下方の蹴込板３３よりも正面側に若干突出するとともに、その正面側端部から下方側に垂下した垂下部３５が設けられている。
【００２２】
前記踏み板３１の垂下部３５には、下部背面側に足元灯ユニット１が取付けられるユニット取付用凹部３７が形成されており、足元灯ユニット１は、このユニット取付用凹部３７に嵌まり込み、前記第二部材１９の下面及び遮光板２３の下側が前記垂下部３５の下方から若干突出するように取付けられる。ここで、足元灯ユニット１の取付は、ユニット本体１の取付用孔部１３に挿入したネジ等の固定手段を垂下部３５のユニット取付用凹部３７の上面に螺着することによって行われている。また、前記踏み板３１には、ユニット取付用凹部３７から連続して、電気コード１１を通すための溝部３９が形成されており、この溝部３９に電気コード１１は介在されることになる。
【００２３】
以上の構成からなる足元灯ユニット１及び照明付き階段３０にあっては、光源７により発光された光が、第二部材１９によって散乱され、下側の踏み板３１のみを的確に照射することができる。また、この光は、第二部材１９の下面のプリズム面２１によって背面側に屈曲されるため、正面側に光が漏れにくく、しかも、正面側には遮光板２３が設けられているので、正面側への光を的確に遮光することができる。このため、階段３０を上に上る人は、足元灯ユニット１からの光が直接目に入り難く、照明手段によって照明された踏み板を容易に視認し易い。特に、この足元灯ユニット１によれば踏み板３１の背面側（蹴込板３３側）がより明るくなり、正面側が暗くなり、階段３０を下に下る人にとっては各踏み板３１の区別がつきやすいという利点も有する。
【００２４】
また、上記のように足元灯ユニット１はユニット化されたものであるため、その施工が容易である。特に、遮光手段としての遮光板２３及びプリズム面２１が足元灯ユニット１に設けられているため、別途遮光手段を階段本体側に設ける場合に比して施工が容易である。
【００２５】
なお、本願発明は上記実施形態のものに限定されるものではなく、本願発明の意図する範囲内で適宜設計変更可能である。
【００２６】
つまり、上記実施形態においては、遮光手段として遮光板２３及びプリズム面２１の双方を設けたものについて説明したが、何れか一方のみを採用することも適宜設計変更可能な事項の範囲内である。
【００２７】
【発明の効果】
以上説明したように、本発明に係る足元灯ユニット及びそれを取付けた階段にあっては、足元灯ユニットにより踏み板のみが明るくなるとともに、階段を上に上る人が、正面側から階段を視認した際にまぶしくなく、的確に階段の踏み板を認識することができる。
【図面の簡単な説明】
【図１】本発明に係る足元灯ユニットの実施の形態を示す図で、（イ）は概略的背面図、（ロ）は概略的側面図である。
【図２】同実施形態の足元灯ユニットの取付状態を説明するための照明付き階段の概略的断面側面図である。
【図３】同実施形態の階段の踏み板の底面図である。
【図４】同実施形態の階段の踏み板の一部断面を含む背面図である。
【符号の説明】
１    足元灯ユニット
３    ユニット本体
５    ケース体
５ａ  突出部
７    光源（ＬＥＤ）
９    基板
１１    電気的接続手段（電気コード）
１３    取付用孔部
１５    挿通孔部
１７    第一部材
１７ａ  爪部
１９    第二部材
２１    プリズム面（遮光手段）
２３    遮光板（遮光手段）
３０    階段
３１    踏み板
３３    蹴込板
３５    垂下部
３７    取付用凹部
３９    溝部
【図１】
2004190335.tif 000003
【図２】
2004190335.tif 000004
【図３】
2004190335.tif 000005
【図４】
2004190335.tif 000006